【手続補正書】
【提出日】平成20年6月10日(2008.6.10)
【手続補正１】
【補正対象書類名】特許請求の範囲
【補正対象項目名】全文
【補正方法】変更
【補正の内容】
【特許請求の範囲】
【請求項１】
ネットワークを介して、少なくとも１つのクライアント端末に接続され、印刷物作成用データをＷｅｂブラウザで閲覧可能なデータに変換したデジタルコンテンツ素材を前記クライアント端末に提供する情報処理サーバであって、
前記デジタルコンテンツ素材は、前記印刷物作成用データを構成するページ毎の、文字／画像を有する少なくとも１つの素材情報を配置する画像データと、前記素材情報の文字／画像にリンクさせ、リンクに関する情報の表示及びリンク制御を行うリンク情報と、を有し、さらにこのリンク情報は、リンク先のアドレスと、利用者のマウスカーソルの所定のマウスイベント、又はキーボードの所定のキーイベントを契機に表示される表示情報と、商品識別情報とを含んで構成されるものであって、
前記クライアント端末からの要求に応じて、前記デジタルコンテンツ素材を、前記クライアント端末に提供する提供手段と、
商品識別情報と更新データを含んで構成される更新情報を所定のタイミングで取得し、この更新情報に含まれる商品識別情報と一致する商品識別情報を含む前記リンク情報に含まれている表示情報を前記更新情報に含まれる更新データに書き換え、更新されたリンク情報とする更新手段と、
を具備することを特徴とする情報処理サーバ。
【請求項２】
前記印刷物作成用データは、印刷物を構成する画像、テキストからなるＤＴＰデータ、又は印刷物を走査して得るデジタルデータであることを特徴とする請求項１記載の情報処理サーバ。
【請求項３】
前記表示情報は、文字データ、画像データ、２次元バーコードのいずれかであることを特徴とする請求項１記載の情報処理サーバ。
【請求項４】
請求項1に記載の情報処理サーバであって、
前記リンク情報は、リンク先のアドレスと、利用者のマウスカーソルの所定のマウスイベント、又はキーボードの所定のキーイベントによって表示されるべき情報のアドレスと、商品識別情報とを含んで構成されるものであって、
前記更新手段は、
商品識別情報と更新データのアドレスを含んで構成される更新情報を所定のタイミングで取得し、この更新情報に含まれる商品識別情報と一致する商品識別情報を含む前記リンク情報に含まれている表示されるべき情報のアドレスを前記更新情報に含まれる更新データのアドレスに書き換え、更新されたリンク情報とするものである
ことを特徴とする請求項1に記載の情報処理サーバ。
【請求項５】
印刷物作成用データをＷｅｂブラウザで閲覧可能なデータに変換したデジタルコンテンツ素材をネットワークを介してクライアント端末に提供する情報処理システムにおける情報処理方法であって、
前記デジタルコンテンツ素材を、
少なくとも１つの素材情報を配置する画像データと、前記配置される素材の文字／画像にリンクさせ、リンクに関する情報の表示及びリンク制御を行うリンク情報とを有し、さらにこのリンク情報は、リンク先のアドレスと、利用者のマウスカーソルの所定のマウスイベント、又はキーボードの所定のキーイベントを契機に表示される表示情報と、商品識別情報とを含んで構成されるものとして作成するステップと、
情報提供元または販売元が、前記リンク情報の表示情報に上書きされるべき更新データを、商品識別情報と組にした更新情報として用意するステップと、
前記デジタルコンテンツ素材を提供するサーバが、所定のタイミングで前記更新情報を取得し、その中に含まれる商品識別情報をキーにして、リンク情報の表示情報の更新を行うステップと、
クライアント端末からの要求に応じて前記デジタルコンテンツ素材を提供するステップと、を含むことを特徴とする情報処理方法。
【請求項６】
コンピュータを請求項１から請求項４のいずれかに記載の情報処理サーバとして機能させるプログラム。
【請求項７】
コンピュータを請求項１から請求項４のいずれかに記載の情報処理サーバとして機能させるプログラムを記録した記録媒体。
【手続補正２】
【補正対象書類名】明細書
【補正対象項目名】００１２
【補正方法】変更
【補正の内容】
【００１２】
前述した目的を達成するために第１の発明は、ネットワークを介して、少なくとも１つのクライアント端末に接続され、印刷物作成用データをＷｅｂブラウザで閲覧可能なデータに変換したデジタルコンテンツ素材を前記クライアント端末に提供する情報処理サーバであって、前記デジタルコンテンツ素材は、前記印刷物作成用データを構成するページ毎の、文字／画像を有する少なくとも１つの素材情報を配置する画像データと、前記素材情報の文字／画像にリンクさせ、リンクに関する情報の表示及びリンク制御を行うリンク情報と、を有し、さらにこのリンク情報は、リンク先のアドレスと、利用者のマウスカーソルの所定のマウスイベント、又はキーボードの所定のキーイベントを契機に表示される表示情報と、商品識別情報とを含んで構成されるものであって、前記クライアント端末からの要求に応じて、前記デジタルコンテンツ素材を、前記クライアント端末に提供する提供手段と、商品識別情報と更新データを含んで構成される更新情報を所定のタイミングで取得し、この更新情報に含まれる商品識別情報と一致する商品識別情報を含む前記リンク情報に含まれている表示情報を前記更新情報に含まれる更新データに書き換え、更新されたリンク情報とする更新手段と、を具備することを特徴とする情報処理サーバである。
【手続補正３】
【補正対象書類名】明細書
【補正対象項目名】００１４
【補正方法】変更
【補正の内容】
【００１４】
第１の発明による情報処理サーバは、ネットワークを介して、少なくとも１つのクライアント端末に接続され、デジタルコンテンツ素材は、印刷物作成用データを構成するページ毎の、文字／画像を有する少なくとも１つの素材情報を配置する画像データと、素材情報の文字／画像にリンクさせ、リンクに関する情報の表示及びリンク制御を行うリンク情報とを有する。このリンク情報は、リンク先のアドレスと、利用者のマウスカーソルの所定のマウスイベント、又はキーボードの所定のキーイベントを契機に表示される表示情報と、商品識別情報とを含んで構成されるものである。情報処理サーバは、クライアント端末からの要求に応じて、デジタルコンテンツ素材を、クライアント端末に提供し、商品識別情報と更新データを含んで構成される更新情報を所定のタイミングで取得し、この更新情報に含まれる商品識別情報と一致する商品識別情報を含むリンク情報に含まれている表示情報を前記更新情報に含まれる更新データに書き換え、更新されたリンク情報とする。
【手続補正４】
【補正対象書類名】明細書
【補正対象項目名】００１５
【補正方法】変更
【補正の内容】
【００１５】
「印刷物作成用データ」は、印刷物を構成する画像、テキストからなるＤＴＰデータ、又は印刷物を走査して得るデジタルデータである。
「表示情報」は、商品等の文字データ、画像データ、２次元バーコードのいずれかである。
【手続補正５】
【補正対象書類名】明細書
【補正対象項目名】００１７
【補正方法】変更
【補正の内容】
【００１７】
また、第２の発明は、印刷物作成用データをＷｅｂブラウザで閲覧可能なデータに変換したデジタルコンテンツ素材をネットワークを介してクライアント端末に提供する情報処理システムにおける情報処理方法であって、前記デジタルコンテンツ素材を、少なくとも１つの素材情報を配置する画像データと、前記配置される素材の文字／画像にリンクさせ、リンクに関する情報の表示及びリンク制御を行うリンク情報とを有し、さらにこのリンク情報は、リンク先のアドレスと、利用者のマウスカーソルの所定のマウスイベント、又はキーボードの所定のキーイベントを契機に表示される表示情報と、商品識別情報とを含んで構成されるものとして作成するステップと、情報提供元または販売元が、前記リンク情報の表示情報に上書きされるべき更新データを、商品識別情報と組にした更新情報として用意するステップと、前記デジタルコンテンツ素材を提供するサーバが、所定のタイミングで前記更新情報を取得し、その中に含まれる商品識別情報をキーにして、リンク情報の表示情報の更新を行うステップと、クライアント端末からの要求に応じて前記デジタルコンテンツ素材を提供するステップと、を含むことを特徴とする情報処理方法である。